(57)【要約】【課題】安価に調光機能を付加可能な有機ＥＬ発光システムを提供する。また、当該有機ＥＬ発光システムを構成するに当たって、誤配線を防止可能な給電部材を提供する。【解決手段】給電部材６は、外部と電気的に接続可能なものであって、基板を平面視したときに特定の二つの有機ＥＬパネル２の間に他の一又は複数の有機ＥＬパネル２を挟んだ状態で、前記特定の有機ＥＬパネル２間を電気的に直列接続する導電配線３１，３２，３３，３４を有し、導電配線３１，３２，３３，３４によって複数の有機ＥＬパネル２がそれぞれ電気的に直列に接続された直列接続群を複数有しており、面状の広がりをもって配置された複数の有機ＥＬパネル２を全体的に発光可能である構成とする。【選択図】図５
2014103268.tif 000002
【特許請求の範囲】
【請求項１】
複数の有機ＥＬパネルと、外部と電気的に接続可能な給電部材を有した有機ＥＬ発光システムであって、
前記複数の有機ＥＬパネルは、面状の広がりをもって配置されるものであって、
基材上に、少なくとも第１電極層と、第２電極層と、前記両電極層に挟まれた有機発光層とを有しており、
前記給電部材は、特定の二つの有機ＥＬパネルの間に他の一又は複数の有機ＥＬパネルを挟んだ状態で、前記特定の有機ＥＬパネル間を電気的に直列接続する橋渡し導電部を有し、
当該橋渡し導電部によって複数の有機ＥＬパネルが電気的に直列に接続された直列接続群を複数有し、
面状の広がりをもって配置された複数の有機ＥＬパネルを全体的に発光可能であることを特徴とする有機ＥＬ発光システム。
【請求項２】
点灯時に発光色が異なる２種類以上の有機ＥＬパネルを有し、
前記直列接続群のうち、少なくとも１つの直列接続群は、同一種類の有機ＥＬパネルで構成されていることを特徴とする請求項１に記載の有機ＥＬ発光システム。
【請求項３】
点灯時に発光色が異なる有機ＥＬパネルの種類は、２種類以上４種類以下であることを特徴とする請求項２に記載の有機ＥＬ発光システム。
【請求項４】
前記異なる２種類以上の有機ＥＬパネルのうち１種類は、５５０ｎｍ未満の波長にのみ発光ピークを有する青色系発光パネルであり、
少なくとも他の１種類は、５５０ｎｍ以上の波長にのみ発光ピークを有する赤色系発光パネルであることを特徴とする請求項２又は３に記載の有機ＥＬ発光システム。
【請求項５】
前記有機ＥＬパネルは、両面が発光することを特徴とする請求項１乃至４のいずれかに記載の有機ＥＬ発光システム。
【請求項６】
給電部材は、第１桟部を有し、
前記第１桟部は、複数の有機ＥＬパネルを取り付ける部位であって、かつ、前記橋渡し導電部の一部を構成する給電配線を複数内蔵しており、
隣接する有機ＥＬパネルは、互いに異なる給電配線に接続されていることを特徴とする請求項１乃至５のいずれかに記載の有機ＥＬ発光システム。
【請求項７】
給電部材は、複数の第１桟部と、当該第１桟部と交差する第２桟部を有し、
前記第１桟部は、複数の有機ＥＬパネルを取り付ける部位であって、かつ、前記橋渡し導電部の一部を構成する給電配線を複数内蔵しており、
前記第２桟部は、互いに隣接する第１桟部間を物理的に接続するものであって、かつ、当該隣接する第１桟部の給電配線間を電気的に直列接続する迂回配線を備えることを特徴とする請求項１乃至６のいずれかに記載の有機ＥＬ発光システム。
【請求項８】
前記有機ＥＬパネルは、平面充填となるように給電部材上に敷設されており、
有機ＥＬパネル間の接触部位は、第１桟部又は第２桟部上に位置することを特徴とする請求項７に記載の有機ＥＬ発光システム。
【請求項９】
第１桟部及び第２桟部は、格子状に組み合わされて前記有機ＥＬパネルと相似形状の開口を形成しており、
当該開口に有機ＥＬパネルは嵌挿されていることを特徴とする請求項７に記載の有機ＥＬ発光システム。
【請求項１０】
外部と電気的に接続可能な給電部材であって、
複数の有機ＥＬパネルを取り付け可能な給電部材において、
前記複数の有機ＥＬパネルは、面状の広がりをもって配置されるものであって、かつ、基材上に、少なくとも第１電極層と、第２電極層と、前記両電極層に挟まれた有機発光層とを有しており、
特定の二つの有機ＥＬパネルの間に他の一又は複数の有機ＥＬパネルを挟んだ状態で、前記特定の有機ＥＬパネル間を電気的に直列接続する橋渡し導電部を有し、
当該橋渡し導電部によって複数の有機ＥＬパネルが電気的に直列に接続された直列接続群を複数形成するものであり、
面状の広がりをもって配置された複数の有機ＥＬパネルを全体的に発光可能であることを特徴とする給電部材。
【発明の詳細な説明】
【技術分野】
【０００１】
本発明は、有機ＥＬ（Electro Luminescence）パネルを敷き詰めて形成される有機ＥＬ発光システムに関するものである。また、当該有機ＥＬ発光システムを構成する給電部材に関するものである。
【背景技術】
【０００２】
近年、白熱灯や蛍光灯に代わる照明装置として有機ＥＬパネルが注目され、多くの研究がなされている。
【０００３】
ここで、有機ＥＬパネルは、有機ＥＬ装置に封止構造やケーシングを施したものである。また、有機ＥＬ装置は、ガラス基板等の基材に、有機ＥＬ素子を積層し、この有機ＥＬ素子に給電するための給電構造を形成したものである。
また、有機ＥＬ素子は、一方又は双方が透光性を有する２つの電極を対向させ、この電極の間に有機化合物からなる発光層を積層したものである。有機ＥＬ装置は、電気的に励起された電子と正孔との再結合のエネルギーによって発光する。
詳説すると、有機ＥＬ素子は、有機ＥＬ素子の電極間に複数の層が積層した構造を有しており、一方の電極側から順に正孔注入層、正孔輸送層、発光層、電子輸送層、電子注入層からなる積層構造をとっている。そして、正孔は、一方の電極から正孔注入層、正孔輸送層を経由して発光層に至り、電子は、他方の電極から電子注入層、電子輸送層を経由して発光層に至り、発光層内で正孔と電子が再結合する。すなわち、有機ＥＬ素子は、発光層の材料を適宜選択することにより、種々の波長の光を発光することができ、所望の発光色を選択することができる。
【０００４】
照明装置に使用される有機ＥＬパネルは、白色の光源として使用される場合が多い。このとき、１つの発光層のみで、白色光源を取り出すのは困難であり、従来から、光の三原色である赤（Ｒｅｄ）、青（Ｂｌｕｅ）、緑（Ｇｒｅｅｎ）の３色の発光層を組み合わせて、白色光源として使用している（例えば、特許文献１）。
つまり、照明に使用される有機電界発光素子（有機ＥＬ装置）は、複数の発光層を積層した構造を有しており、それぞれの発光層で電子と正孔を再結合させることで、光を加色していき、白色の光を取り出す。
【先行技術文献】
【特許文献】
【０００５】
【特許文献１】特開２０１１−２５３７２２号公報
【発明の概要】
【発明が解決しようとする課題】
【０００６】
ところで、大型照明に有機ＥＬパネルを用いる場合、１枚の有機ＥＬパネルではその面内に電圧の分布が生じやすく、発光むらが生じやすい。そのため、複数の有機ＥＬパネルを電気的に接続して、１つの発光平面を形成する場合がある。
従来、青色系の発光層は、他の色の発光層に比べて劣化しやすく、寿命が短いことが知られており、実質的な有機ＥＬパネルの寿命は、青色系の発光色の寿命となることが多い。そのため、大型照明に有機ＥＬパネルを用いる場合、他の発光色を呈する発光層の寿命が残っているにもかかわらず、照明として機能しないため、その都度、発光不能となった有機ＥＬパネルを交換する必要があった。
また、近年の照明装置は、単純な点灯と消灯の切り替えだけではなく、発光色の明るさを調整する調光機能が求められることが多い。ところが、特許文献１の有機電界発光素子（有機ＥＬパネル）を大型照明として用い、調光機能を付加させると、発光むらが生じやすい。すなわち、それぞれの電流値を高い精度で調整が必要であり、コストが高くなるという問題がある。
【０００７】
そこで、本発明者は、従来のようにそれぞれの有機ＥＬパネル単体から白色光を取り出すのではなく、発光色の異なる複数種類の有機ＥＬパネルを面状に広がりをもって敷設し、１つの有機ＥＬパネルから発せられる光と、当該有機ＥＬパネルに隣接するそれぞれの有機ＥＬパネルから発せられる光と、の重なりを利用して、合成色である白色の発光色を取り出すことを考えた。また、同色の発光色を有する有機ＥＬパネル間をそれぞれ電気的に直列接続することによって、例えば、複数の有機ＥＬパネルの内、寿命が短いとされる青色の発光色を有した有機ＥＬパネルのみを交換することが可能となり、それぞれの有機ＥＬパネルの寿命を最大限に生かせると考えた。また、この構造を採用することによって、直列接続された有機ＥＬパネル間の電流値等を調整することによって調光機能を付加できると考えた。
ところが、この構造の場合、有機ＥＬパネルの種類の分だけ、それぞれ独立した配線構造が必要となり、配線構造が煩雑となる。そのため、誤配線が生じる可能性が高くなるという新たな問題が生じていた。
【０００８】
そこで、本発明は、安価に調光機能を付加可能な有機ＥＬ発光システムを提供することを課題とするものである。また、当該有機ＥＬ発光システムを構成するに当たって、誤配線を防止可能な給電部材を提供することを課題とするものである。
【課題を解決するための手段】
【０００９】
上記課題を解決するための請求項１に記載の発明は、複数の有機ＥＬパネルと、外部と電気的に接続可能な給電部材を有した有機ＥＬ発光システムであって、前記複数の有機ＥＬパネルは、面状の広がりをもって配置されるものであって、基材上に、少なくとも第１電極層と、第２電極層と、前記両電極層に挟まれた有機発光層とを有しており、前記給電部材は、特定の二つの有機ＥＬパネルの間に他の一又は複数の有機ＥＬパネルを挟んだ状態で、前記特定の有機ＥＬパネル間を電気的に直列接続する橋渡し導電部を有し、当該橋渡し導電部によって複数の有機ＥＬパネルが電気的に直列に接続された直列接続群を複数有し、面状の広がりをもって配置された複数の有機ＥＬパネルを全体的に発光可能であることを特徴とする有機ＥＬ発光システムである。
【００１０】
ここでいう「他の一又は複数の有機ＥＬパネルを挟んだ状態」とは、必ずしも有機ＥＬパネル全体が挟まれている必要はなく、一又は複数の有機ＥＬパネルのそれぞれの一部分が挟まれていればよい。
【００１１】
本発明の構成によれば、当該橋渡し導電部によって複数の有機ＥＬパネルが電気的に直列に接続された直列接続群を複数有している。言い換えると、直列接続群を構成する有機ＥＬパネルは、全て同電流となっており、均等に光る。そのため、直列接続群間の相対的な電流量を変更させることによって、調光機能を付加させることが可能である。また、例えば、それぞれの直列接続群を異なる発光色を呈する有機ＥＬパネルで構成することによって、発光色が混ざり合って、白色光に見せることが可能である。さらに、例えば、それぞれの直列接続群を電気的に並列に接続することによって、各直列接続群を構成する有機ＥＬパネルごとに、交換が可能であり、各直列接続群を構成する有機ＥＬパネルの寿命を最大限に延ばすことができる。
本発明の構成によれば、１つの給電部材に有機ＥＬパネルを取り付けて、直列接続群に属する有機ＥＬパネルをそれぞれ接続するので、部品点数が少なく、配線構造が複雑になりにくい。そのため、誤配線が生じにくい。
【００１２】
請求項２に記載の発明は、点灯時に発光色が異なる２種類以上の有機ＥＬパネルを有し、前記直列接続群のうち、少なくとも１つの直列接続群は、同一種類の有機ＥＬパネルで構成されていることを特徴とする請求項１に記載の有機ＥＬ発光システムである。
【００１３】
ここでいう「同一種類の有機ＥＬパネル」とは、点灯時の発光色が同じ色を呈する有機ＥＬパネルを表す。
【００１４】
本発明の構成によれば、直列接続群のうち、少なくとも１つの直列接続群は、同一種類の有機ＥＬパネルで構成されている。すなわち、直列接続群に流す電流量等を調整することによって、直列接続群を構成する有機ＥＬパネルと、その他の有機ＥＬパネルとの発光によって成される白色光の色度を調整することが可能であり、全体的な調光・調色機能を付加させることが可能である。
【００１５】
請求項３に記載の発明は、点灯時に発光色が異なる有機ＥＬパネルの種類は、２種類以上４種類以下であることを特徴とする請求項２に記載の有機ＥＬ発光システムである。
【００１６】
本発明の構成によれば、点灯時に発光色が異なる有機ＥＬパネルの種類は、２種類以上４種類以下である。有機ＥＬパネルの種類が４種類より多くなると、同色の有機ＥＬパネル間の距離が離れすぎて、使用者に白色に発光しているように見えなくなるおそれがある。
【００１７】
請求項２又は３に記載の有機ＥＬ発光システムにおいて、前記異なる２種類以上の有機ＥＬパネルのうち１種類は、５５０ｎｍ未満の波長にのみ発光ピークを有する青色系発光パネルであり、少なくとも他の１種類は、５５０ｎｍ以上の波長にのみ発光ピークを有する赤色系発光パネルであることが好ましい（請求項４）。
【００１８】
請求項５に記載の発明は、前記有機ＥＬパネルは、両面が発光することを特徴とする請求項１乃至４のいずれかに記載の有機ＥＬ発光システムである。
【００１９】
本発明の構成によれば、両面が発光するため、発光面積が大きい。
【００２０】
請求項６に記載の発明は、給電部材は、第１桟部を有し、前記第１桟部は、複数の有機ＥＬパネルを取り付ける部位であって、かつ、前記橋渡し導電部の一部を構成する給電配線を複数内蔵しており、隣接する有機ＥＬパネルは、互いに異なる給電配線に接続されていることを特徴とする請求項１乃至５のいずれかに記載の有機ＥＬ発光システムである。
【００２１】
本発明の構成によれば、第１桟部は、複数の有機ＥＬパネルを取り付ける部位であって、かつ、前記橋渡し導電部の一部を構成する給電配線を複数内蔵しており、隣接する有機ＥＬパネルは、互いに異なる給電配線に接続されている。すなわち、１つの第１桟部によって隣接する有機ＥＬパネル間を物理的に接続しており、第１桟部内に埋まった複数の給電配線によって、異なる直列接続群に属する有機ＥＬパネルにそれぞれ給電可能となっている。このように複数の給電配線は、第１桟部内に固定されており、不可分一体となっているので、配線構造が複雑にならず、誤配線が生じにくい。またノイズも入りにくい。
【００２２】
請求項７に記載の発明は、給電部材は、複数の第１桟部と、当該第１桟部と交差する第２桟部を有し、前記第１桟部は、複数の有機ＥＬパネルを取り付ける部位であって、かつ、前記橋渡し導電部の一部を構成する給電配線を複数内蔵しており、前記第２桟部は、互いに隣接する第１桟部間を物理的に接続するものであって、かつ、当該隣接する第１桟部の給電配線間を電気的に直列接続する迂回配線を備えることを特徴とする請求項１乃至６のいずれかに記載の有機ＥＬ発光システムである。
【００２３】
本発明の構成によれば、前記第２桟部は、互いに隣接する第１桟部間を物理的に接続するものであって、かつ、当該隣接する第１桟部の給電配線間を電気的に直列接続する迂回配線を備える。すなわち、第１桟部内に内蔵した給電配線間を第２桟部の迂回配線が電気的に接続するため、迂回配線は、直接的に有機ＥＬパネルと接触せず、有機ＥＬ発光システムの組み立てが容易である。
【００２４】
請求項８に記載の発明は、前記有機ＥＬパネルは、平面充填となるように給電部材上に敷設されており、有機ＥＬパネル間の接触部位は、第１桟部又は第２桟部上に位置することを特徴とする請求項７に記載の有機ＥＬ発光システムである。
【００２５】
本発明の構成によれば、前記有機ＥＬパネルは、平面充填となるように給電部材上に敷設されている。すなわち有機ＥＬパネル間が隙間無く配されているため、単位面積当たりの発光面積を大きくすることができる。
また、有機ＥＬパネル間の接触部位は、第１桟部又は第２桟部上に位置するため、有機ＥＬパネル間の物理的な接続強度が高い。
【００２６】
請求項９に記載の発明は、第１桟部及び第２桟部は、格子状に組み合わされて形成されて、有機ＥＬパネルと相似形状の開口を形成しており、当該開口に有機ＥＬパネルは嵌挿されていることを特徴とする請求項７に記載の有機ＥＬ発光システムである。
【００２７】
本発明の構成によれば、第１桟部及び第２桟部は、格子状に組み合わされて形成されて、有機ＥＬパネルと相似形状の開口を形成しており、当該開口に有機ＥＬパネルは嵌挿されている。すなわち、第１桟部及び第２桟部は、各有機ＥＬパネルの額縁として機能する。そのため、有機ＥＬパネルのそれぞれの剛性を向上させることが可能である。
【００２８】
請求項１０に記載の発明は、外部と電気的に接続可能な給電部材であって、複数の有機ＥＬパネル間のそれぞれの電気接続に寄与する給電部材において、前記複数の有機ＥＬパネルは、基材上に、少なくとも第１電極層と、第２電極層と、前記両電極層に挟まれた有機発光層とを有しており、複数の有機ＥＬパネルを電気的に直列接続し、複数の直列接続群を形成するものであり、当該複数の直列接続群のうち、一の直列接続群を形成する有機ＥＬパネルを、他の直列接続群を形成する有機ＥＬパネルの間に混在した状態で接続することを特徴とする給電部材である。
【００２９】
本発明の構成によれば、１つの給電部材に有機ＥＬパネルを取り付けて、直列接続群に属する有機ＥＬパネルをそれぞれ接続するので、部品点数が少なく、配線構造が複雑になりにくい。そのため、誤配線が生じにくい。
【発明の効果】
【００３０】
本発明の有機ＥＬ発光システム及び給電部材によれば、有機ＥＬパネル間の誤接続が起こりにくい。
【図面の簡単な説明】
【００３１】
【図１】本発明の第１実施形態における有機ＥＬ発光システムの斜視図である。
【図２】図１の有機ＥＬ発光システムの分解斜視図である。
【図３】図２の第１桟部のＡ−Ａ断面斜視図である。
【図４】図３の第１桟部の分解斜視図である。
【図５】図２の給電部材の説明図であり、（ａ）は、給電部材の斜視図であり、（ｂ）は、（ａ）のＢ領域の断面斜視図である。
【図６】図５（ｂ）の給電部材の一部破断斜視図である。
【図７】図１の有機ＥＬパネルに内蔵する有機ＥＬ装置の説明図である。
【図８】図１の有機ＥＬパネルの接続構造の説明図であり、（ａ）は、有機ＥＬパネルの接続構造の実際の位置関係を考慮した電気回路図であり、（ｂ）は、（ａ）を簡略化した電気回路図である。
【図９】図１の有機ＥＬ発光システムを拡張した場合の説明図である。
【図１０】他の実施形態の有機ＥＬパネルの接続構造の説明図であり、（ａ）は、有機ＥＬパネルの接続構造の実際の位置関係を考慮した電気回路図であり、（ｂ）は、（ａ）を簡略化した電気回路図である。
【図１１】他の実施形態の有機ＥＬパネルの接続構造の説明図であり、（ａ）は、有機ＥＬパネルの接続構造の実際の位置関係を考慮した電気回路図であり、（ｂ）は、（ａ）を簡略化した電気回路図である。
【図１２】他の実施形態の有機ＥＬ発光システムの断面斜視図である。
【発明を実施するための形態】
【００３２】
以下、本発明の実施形態について詳細に説明する。
なお、以下の説明において、特に断りがない限り、有機ＥＬ発光システム１の上下の位置関係は、図１の姿勢を基準に説明する。すなわち、光取り出し側が上である。また、図面は、理解を容易にするために全体的に実際の大きさ（長さ、幅、厚さ）に比べて誇張して描写していることがある。
【００３３】
本実施形態の有機ＥＬ発光システム１は、図２のように有機ＥＬパネル２が面状に広がりをもって敷設されて形成されており、各有機ＥＬパネル２を給電部材６によって接続している。
具体的には、有機ＥＬ発光システム１は、図１のように有機ＥＬパネル２が縦横碁盤状に並設されて形成されており、縦方向（行方向Ｃ）又は横方向（列方向Ｒ）に隣接する有機ＥＬパネル２間を枡席状の給電部材６で接続したものである。
【００３４】
また、有機ＥＬ発光システム１は、給電部材６によって、各有機ＥＬパネル２間が平面充填になるように接続されている。すなわち、有機ＥＬ発光システム１は、各有機ＥＬパネル２が隙間なく配されており、全ての有機ＥＬパネル２が全体的に発光可能となっている。
【００３５】
有機ＥＬ発光システム１に用いられている有機ＥＬパネル２は、発光色が異なる複数種類の有機ＥＬパネルを使用している。そして、有機ＥＬ発光システム１は、それぞれの有機ＥＬパネル２から発せられる光を重ね合わせることによって、使用者に有機ＥＬ発光システム１が白色に発光しているように見せることが可能となっている。
また、有機ＥＬ発光システム１は、同色に発光する有機ＥＬパネル２を電気的に直列接続することによって、それぞれの色に対応する有機ＥＬパネル２をそれぞれ独立して発光することが可能となっており、電流量を制限することによって、調光・調色機能も持ち合わせている。
【００３６】
なお、使用する有機ＥＬパネル２の種類は、発光させたい色や調光・調色の精度、明るさ、有機ＥＬパネル２の大きさによって適宜選択されるものであり、特に限定されないが、２種類以上４種類以下で使用していることが好ましい。有機ＥＬパネル２の種類が１種類の場合には、単色光となり発光色の重なりによる調光・調色機能を付加できない。有機ＥＬパネル２の種類が４種類より多くなると、同色の有機ＥＬパネル２間の距離が離れすぎて、使用者に白色に発光しているように見えなくなるおそれがある。
本実施形態では、発光色が異なる有機ＥＬパネル２を４種類使用しており、それぞれの有機ＥＬパネル２を明確に区別するため、以下の説明においては、それぞれ同色の発光色ごとに区別して第１有機ＥＬパネル１０（１０ａ〜１０ｄ）、第２有機ＥＬパネル１１（１１ａ〜１１ｄ）、第３有機ＥＬパネル１２（１２ａ〜１２ｄ）、第４有機ＥＬパネル１３（１３ａ〜１３ｄ）という。
また、これらの有機ＥＬパネルの構造は、有機ＥＬ装置５の発光色以外は同様である。
【００３７】
以下、有機ＥＬ発光システム１の各構成部材の構成について説明する。
有機ＥＬパネル２は、図７に示される有機ＥＬ装置５を内蔵している。
有機ＥＬ装置５は、図７のように、基板４２（基材）上に第１電極層４３と、機能層４５と、第２電極層４６がこの順に積層した有機ＥＬ素子４１（積層体）を備えたものである。第１電極層４３と第２電極層４６は、機能層４５を挟んで対向しており、第１電極層４３と第２電極層４６の間に通電することによって、機能層４５に通電して電子と正孔との再結合が起こり発光する。すなわち、第１電極層４３と機能層４５と第２電極層４６間で自己通電経路を形成している。
そして、本実施形態の有機ＥＬ装置５は、機能層４５の構成部材をそれぞれ変更することによって所望の発光色を呈するように設計している。詳細な層構造については、後述する。
【００３８】
また、有機ＥＬ装置５は、図７のように基板４２を平面視すると、点灯時に実際に発光する発光領域５０と、当該発光領域５０の周りを囲むように額縁領域５１を有している。
発光領域５０は、四角形状の領域であり、有機ＥＬ装置５の基板４２側に有機ＥＬパネル２の発光面（基板４２側の面であって、使用者が実際に発光を視認する面）を含んでいる。本実施形態の発光領域５０は、基板４２と相似形状であって、正方形状の領域となっている。
額縁領域５１は、図７のように発光領域５０を環状に取り囲む領域であり、点灯時に発光しない非発光の領域である。この額縁領域５１は、外部との電気的な接点として機能する電極部５２を複数備えている。
【００３９】
電極部５２は、図７のように、有機ＥＬ素子４１内の第１電極層４３に電気的に接続される第１電極部５５と、有機ＥＬ素子４１内の第２電極層４６に電気的に接続される第２電極部５６からなり、第１電極部５５と第２電極部５６は発光領域５０を挟んで、互いに対向する位置にある。
【００４０】
給電部材６に目を移すと、給電部材６は、複数の有機ＥＬパネル２を支持又は固定可能な枠体であり、図２，図５のように複数の第１桟部７と複数の第２桟部８が格子状に交差して形成されている。
【００４１】
第１桟部７は、複数の有機ＥＬパネル２が取り付けられる部位であって、かつ各有機ＥＬパネル２に給電する部位である。また、第１桟部７は、図５のように長板状又は箔状であって、縦方向（行方向Ｃ）に延びる部位である。本実施形態では、第１桟部７は箔状となっている。
第１桟部７は、それぞれの有機ＥＬパネル２に給電する給電部２５を複数備えている。
給電部２５は、複数種類存在し、第１有機ＥＬパネル１０に給電する第１給電部２６と、第２有機ＥＬパネル１１に給電する第２給電部２７と、第３有機ＥＬパネル１２に給電する第３給電部２８と、第４有機ＥＬパネル１３に給電する第４給電部２９がある。そして、取り付ける有機ＥＬパネル２の種類に合わせて、給電部２５の種類が決定されて位置決めされている。
【００４２】
例えば、図５（ａ）に示される１つの第１桟部７（７ｃ）に注目すると、第１桟部７ｃ上であって、図５（ｂ）のように第２有機ＥＬパネル１１と第１有機ＥＬパネル１０が載置される部位には、第１桟部７の表面に第２給電部２７及び第１給電部２６が露出しており、第２有機ＥＬパネル１１の電極部５２（図７参照）と第２給電部２７が接触し、第１有機ＥＬパネル１０の電極部５２（図７参照）と第１給電部２６が接触することとなる。
同様に、第１桟部７ｃ上であって、第４有機ＥＬパネル１３と第３有機ＥＬパネル１２が載置される部位には、第１桟部７の表面に第４給電部２９及び第３給電部２８が露出しており、第４有機ＥＬパネル１３の電極部５２と第４給電部２９が接触し、第３有機ＥＬパネル１２の電極部５２と第３給電部２８が接触することとなる。
【００４３】
本実施形態では、第１桟部７は、図２，図５のように行方向Ｃにおいて、第１有機ＥＬパネル１０と第２有機ＥＬパネル１１が載置される部位と、第３有機ＥＬパネル１２と第４有機ＥＬパネル１３が載置される部位が交互に並ぶ関係となっているので、第１給電部２６及び第２給電部２７の組み合わせと、第３給電部２８及び第４給電部２９の組み合わせも、行方向Ｃに交互に並ぶ配列となっている。
【００４４】
図５（ａ）に示される第１桟部７ｃに対して列方向Ｒに隣接する第１桟部７ｂ，７ｄに注目すると、第１桟部７ｂ，７ｄ上での第１給電部２６と第２給電部２７の位置関係及び第３給電部２８と第４給電部２９の位置関係は、第１桟部７ｃの場合と逆転している。
すなわち、第１桟部７の第１有機ＥＬパネル１０と第２有機ＥＬパネル１１が載置される部位は、第１桟部７の並列方向Ｒ（列方向Ｒ）において、一方から順に第１給電部２６、第２給電部２７、第２給電部２７、第１給電部２６、・・・、の配列となっている。同様に、第１桟部７の第３有機ＥＬパネル１２と第４有機ＥＬパネル１３が載置される部位は、第１桟部７の並列方向Ｒ（列方向Ｒ）において、一方から順に第３給電部２８、第４給電部２９、第４給電部２９、第３給電部２８、・・・、の配列となっている。
【００４５】
第２桟部８は、図５のように複数の有機ＥＬパネル２の縁近傍が取り付けられる部位であって、かつ所定の有機ＥＬパネル２を迂回する迂回配線７６，７８，８０，８２を備えた部位である。また、第２桟部８は、長板状又は箔状であって、第１桟部７に対して交差する方向に延びる部位である。本実施形態では、第２桟部８は箔状となっている。
本実施形態では、第１桟部７と第２桟部８は互いに直交しており、縦横碁盤状に配されている。すなわち、第２桟部８は、横方向（列方向Ｒ）に延びている。
【００４６】
ここで、給電部材６の各部位の位置関係について説明すると、隣接する第１桟部７間の間隔はいずれも等しくなっており、隣接する第２桟部８間の間隔もいずれも等しくなっている。また、第１桟部７間の間隔と第２桟部８間の間隔は等しくなっている。すなわち、第１桟部７と第２桟部８のそれぞれの交点は縦横均等に分布している。
また、給電部材６は、第１桟部７と第２桟部８によって、取り付けられる有機ＥＬパネル２と相似形状をした開口３７を形成している。すなわち、開口３７は、四角形状となっており、本実施形態では、正方形状となっている。
このように、給電部材６は、同一形状の開口３７を複数有しており、開口３７は一定の間隔で配されている。
【００４７】
また、給電部材６は多層配線基板で形成されており、給電部材６を形成する各層構成について説明すると、給電部材６は、図３のように複数の導電部材２０，２１，２２，２３がそれぞれ第１絶縁フィルム１５、第１絶縁基材１６、第１接着部材１７、第２絶縁基材１８、第２絶縁フィルム１９によってそれぞれ挟まれた構造をしている。
すなわち、給電部材６は、図３，図４のように有機ＥＬパネル２との接続側と反対側（下側）から順に第１絶縁フィルム１５、第４導電部材２３（橋渡し導電部）、第１絶縁基材１６、第１導電部材２０（橋渡し導電部）、第１接着部材１７、第２導電部材２１（橋渡し導電部）、第２絶縁基材１８、第３導電部材２２（橋渡し導電部）、第２絶縁フィルム１９から形成されている。
【００４８】
第１絶縁フィルム１５及び第２絶縁フィルム１９は、絶縁性を有したフィルムであり、いわゆるカバーレイフィルムである。
【００４９】
第１絶縁基材１６及び第２絶縁基材１８は、絶縁性を有した板状又はシート状の部材であり、給電部材６の骨格となる部材である。
【００５０】
第１接着部材１７は、絶縁性を有した接着剤であり、第１絶縁基材１６及び第２絶縁基材１８を貼り合わせる部材である。
第１接着部材１７は、液体状やゲル状の接着剤が固化したものである。なお、第１接着部材１７は、板状やシート状の接着剤であってもよい。
【００５１】
第１導電部材２０は、導電性を有した部材であって、特定の有機ＥＬパネル２の第１電極部５５と、他の有機ＥＬパネル２の第２電極部５６を接続する部材である。すなわち、第１導電部材２０は、特定の有機ＥＬパネル２間を電気的に直列接続する部材である。具体的には、第１導電部材２０は、第１有機ＥＬパネル１０間を電気的に直列接続する部材である。
【００５２】
第１導電部材２０は、図５，図６のように、複数の第１給電部２６と、第１導電配線３１から形成されている。
第１給電部２６は、いわゆるスルーホールであり、第１有機ＥＬパネル１０の第１電極部５５又は第２電極部５６との接点となる部位である。
第１導電配線３１は、線状又は箔状の部位であり、隣接する第１有機ＥＬパネル１０間に位置する一又は複数の他の有機ＥＬパネル１１，１２，１３を迂回して、隣接する第１有機ＥＬパネル１０間を物理的に接続する部位である。
本実施形態では、第１導電配線３１は、箔状となっており、第２有機ＥＬパネル１１を迂回して、列方向Ｒに隣接する第１有機ＥＬパネル１０を物理的に接続している。
つまり、第１導電配線３１は、第１桟部７から第２桟部８を経由して隣接する第１桟部７に敷設しており、列方向Ｒに隣接する第１給電部２６間を物理的に接続している。具体的には、第１導電配線３１は、図５（ａ）のように平面視すると「コ」字状となっており、第１桟部７に内蔵される第１給電配線７５（給電配線）と、第２桟部８に内蔵され第１給電配線７５，７５間を物理的に接続する第１迂回配線７６（迂回配線）とから形成されている。
【００５３】
第２導電部材２１は、導電性を有した部材であって、特定の有機ＥＬパネル２の第１電極部５５と、他の有機ＥＬパネル２の第２電極部５６を接続する部材である。すなわち、第２導電部材２１は、特定の有機ＥＬパネル２間を電気的に直列接続する部材である。具体的には、第２導電部材２１は、第２有機ＥＬパネル１１間を電気的に直列接続する部材である。
【００５４】
第２導電部材２１は、図５，図６のように、複数の第２給電部２７と、第２導電配線３２から形成されている。
第２給電部２７は、いわゆるスルーホールであり、第２有機ＥＬパネル１１の第１電極部５５又は第２電極部５６との接点となる部位である。
第２導電配線３２は、線状又は箔状の部位であり、隣接する第２有機ＥＬパネル１１間に位置する一又は複数の他の有機ＥＬパネル１０，１２，１３を迂回して、物理的に隣接する第２有機ＥＬパネル１１間を接続する部位である。
本実施形態では、第２導電配線３２は、箔状となっており、第１有機ＥＬパネル１０を迂回して、列方向Ｒに隣接する第２有機ＥＬパネル１１を物理的に接続している。
第２導電配線３２は、第１桟部７から第２桟部８を経由して隣接する第１桟部７に敷設しており、列方向Ｒに隣接する第２給電部２７間を物理的に接続している。すなわち、第２導電配線３２は、図５のように平面視すると「コ」字状となっており、第１桟部７に内蔵される第２給電配線７７（給電配線）と、第２桟部８に内蔵され第２給電配線７７，７７間を物理的に接続する第２迂回配線７８（迂回配線）とから形成されている。
【００５５】
第３導電部材２２は、導電性を有した部材であって、特定の有機ＥＬパネル２の第１電極部５５と、他の有機ＥＬパネル２の第２電極部５６を接続する部材である。すなわち、第３導電部材２２は、特定の有機ＥＬパネル２間を電気的に直列接続する部材である。具体的には、第３導電部材２２は、第３有機ＥＬパネル１２間を電気的に直列接続する部材である。
【００５６】
第３導電部材２２は、図５のように、複数の第３給電部２８と、第３導電配線３３から形成されている。
第３給電部２８は、いわゆるスルーホールであり、第３有機ＥＬパネル１２の第１電極部５５又は第２電極部５６との接点となる部位である。
第３導電配線３３は、線状又は箔状の部位であり、隣接する第３有機ＥＬパネル１２間に位置する一又は複数の他の有機ＥＬパネル１０，１１，１３を迂回して、物理的に隣接する第３有機ＥＬパネル１２間を接続する部位である。
本実施形態では、第３導電配線３３は、第４有機ＥＬパネル１３を迂回して、列方向Ｒに隣接する第３有機ＥＬパネル１２を物理的に接続している。
第３導電配線３３は、第１桟部７から第２桟部８を経由して隣接する第１桟部７に敷設しており、列方向Ｒに隣接する第３給電部２８間を物理的に接続している。すなわち、第３導電配線３３は、図５のように平面視すると「コ」字状となっており、第１桟部７に内蔵される第３給電配線７９（給電配線）と、第２桟部８に内蔵され第３給電配線７９，７９間を物理的に接続する第３迂回配線８０（迂回配線）とから形成されている。
【００５７】
第４導電部材２３は、導電性を有した部材であって、特定の有機ＥＬパネル２の第１電極部５５と、他の有機ＥＬパネル２の第２電極部５６を接続する部材である。すなわち、第４導電部材２３は、特定の有機ＥＬパネル２間を電気的に直列接続する部材である。具体的には、第４導電部材２３は、第４有機ＥＬパネル１３間を電気的に直列接続する部材である。
【００５８】
第４導電部材２３は、複数の第４給電部２９と、第４導電配線３４から形成されている。
第４給電部２９は、いわゆるスルーホールであり、第４有機ＥＬパネル１３の第１電極部５５又は第２電極部５６との接点となる部位である。
第４導電部材２３は、線状又は箔状の部位であり、隣接する第４有機ＥＬパネル１３間に位置する一又は複数の他の有機ＥＬパネル１０，１１，１２を迂回して、物理的に隣接する第４有機ＥＬパネル１３間を接続する部位である。
本実施形態では、第４導電部材２３は、箔状となっており、第３有機ＥＬパネル１２を迂回して、列方向Ｒに隣接する第４有機ＥＬパネル１３を物理的に接続している。
第４導電配線３４は、第１桟部７から第２桟部８を経由して隣接する第１桟部７に敷設しており、列方向Ｒに隣接する第４給電部２９間を物理的に接続している。すなわち、第４導電配線３４は、図５のように平面視すると「コ」字状となっており、第１桟部７に内蔵される第４給電配線８１（給電配線）と、第２桟部８に内蔵され第４給電配線８１，８１間を物理的に接続する第４迂回配線８２（迂回配線）とから形成されている。
【００５９】
なお、各導電配線３１，３２，３３，３４の断面積は、１７５μｍ2以上となっていることが好ましい。１７５μｍ2未満になると、導電配線３１，３２，３３，３４が通過する電流密度が大きくなりすぎて、断線するおそれがある。
【００６０】
続いて、有機ＥＬ発光システム１における有機ＥＬパネル２と給電部材６との位置関係について説明する。
有機ＥＬ発光システム１は、図２のように給電部材６上に有機ＥＬパネル２が載置されている。具体的には、給電部材６の開口３７の重なり方向（上下方向）の投影面上に対応する有機ＥＬパネル２の発光領域５０（図７参照）が位置している。言い換えると、給電部材６の第１桟部７及び第２桟部８上に対応する有機ＥＬパネル２の額縁領域５１（図７参照）が位置している。
【００６１】
また、特定の第１桟部７の給電部２５上には、有機ＥＬパネル２の第１電極部５５又は第２電極部５６の一方の電極部が接触しており、当該第１桟部７の隣の第１桟部７の給電部２５に当該有機ＥＬパネル２のもう一方の電極部が接触している。
すなわち、前記特定の第１桟部７の給電部２５と、前記隣の第１桟部７の給電部２５は有機ＥＬパネル２を挟んで電気的に直列接続されており、点灯時においては、有機ＥＬパネル２内に、前記特定の第１桟部７の給電部２５と前記隣の第１桟部７の給電部２５の間を導電する導電経路が形成されることになる。要するに、有機ＥＬパネル２の導電経路を電流が通過して同一種類の導電部材間を電気が流れていく。
【００６２】
続いて、有機ＥＬ発光システム１における各有機ＥＬパネル２間の関係について説明する。
【００６３】
有機ＥＬ発光システム１は、上記したように給電部材６によって、各有機ＥＬパネル２間が接続されており、全ての有機ＥＬパネル２が全体的に発光可能となっている。具体的には、有機ＥＬ発光システム１は、図２のように４種類の有機ＥＬパネル１０，１１，１２，１３によって、一つのユニット（以下、有機ＥＬパネル群６０）を形成しており、有機ＥＬパネル群６０が面上に広がりをもって分布されている。
【００６４】
そして、本実施形態の有機ＥＬ発光システム１では、図１のように４行４列に有機ＥＬパネル２が配列されている。
横方向（列方向Ｒ）においては、第１行には、第１有機ＥＬパネル１０ａ，第２有機ＥＬパネル１１ａ，第１有機ＥＬパネル１０ｂ，第２有機ＥＬパネル１１ｂの順に交互に配されている。
第２行には、第３有機ＥＬパネル１２ａ，第４有機ＥＬパネル１３ａ，第３有機ＥＬパネル１２ｂ，第４有機ＥＬパネル１３ｂの順に交互に配されている。
第３行には、第２有機ＥＬパネル１１ｃ，第１有機ＥＬパネル１０ｃ，第２有機ＥＬパネル１１ｄ，第１有機ＥＬパネル１０ｄの順に交互に配されている。
第４行には、第４有機ＥＬパネル１３ｃ，第３有機ＥＬパネル１２ｃ，第４有機ＥＬパネル１３ｄ，第３有機ＥＬパネル１２ｄの順に交互に配されている。
このように、有機ＥＬ発光システム１は、いずれの行においても、２種類の有機ＥＬパネル１０，１１又は有機ＥＬパネル１２，１３が交互に配列されており、同一色の有機ＥＬパネルは、当該同一色の有機ＥＬパネル間に少なくとも１種類の異なる有機ＥＬパネル２を挟んで、並設されている。例えば、同一色の有機ＥＬパネル１０ａ，１０ｂは、有機ＥＬパネル１０ａ，１０ｂ間に少なくとも１種類の異なる有機ＥＬパネル１１ａを挟んで、並設されている。
【００６５】
縦方向（行方向Ｃ）においては、第１列には、第１有機ＥＬパネル１０ａ，第３有機ＥＬパネル１２ａ，第２有機ＥＬパネル１１ｃ，第４有機ＥＬパネル１３ｃの順に配されている。
第２列には、第２有機ＥＬパネル１１ａ，第４有機ＥＬパネル１３ａ，第１有機ＥＬパネル１０ｃ，第３有機ＥＬパネル１２ｃの順に配されている。
第３列には、第１有機ＥＬパネル１０ｂ，第３有機ＥＬパネル１２ｂ，第２有機ＥＬパネル１１ｄ，第４有機ＥＬパネル１３ｄの順に配されている。
第４列には、第２有機ＥＬパネル１１ｂ，第４有機ＥＬパネル１３ｂ，第１有機ＥＬパネル１０ｄ，第３有機ＥＬパネル１２ｄの順に配されている。
このように、有機ＥＬ発光システム１は、行方向Ｃにおいて、４種類の有機ＥＬパネルのうち、全種類の有機ＥＬパネルが同一列に並んでいる。すなわち、いずれの有機ＥＬパネルにおいても、自己に隣接する有機ＥＬパネルの種類が異なっており、自己の発光色と異なっている。また、自己に最近接する同一種類の有機ＥＬパネルの距離が等間隔となっている。
【００６６】
本実施形態の有機ＥＬ発光システム１は、列方向において、有機ＥＬパネル群６０が２つ並んでおり、第３列と第４列に属する有機ＥＬパネル群６０は、第１列と第２列に属する有機ＥＬパネル群６０の行方向に並んだ有機ＥＬパネルが入れ替わった関係となっている。
別の観点からみると、第３列と第４列に属する有機ＥＬパネル群６０は、第１列と第２列に属する有機ＥＬパネル群６０を、列方向に有機ＥＬパネル１枚分だけスライドした位置にあるともいえる。
【００６７】
第１行に配列する、第１有機ＥＬパネル１０ａ、第２有機ＥＬパネル１１ａ、第１有機ＥＬパネル１０ｂ、第２有機ＥＬパネル１１ｂの４枚の有機ＥＬパネルの接続関係に注目すると、第１有機ＥＬパネル１０ａの第２電極部５６と、第２有機ＥＬパネル１１ａを挟んで隣接する第１有機ＥＬパネル１０ｂの第１電極部５５が第１導電部材２０によって接続されており、第２有機ＥＬパネル１１ａの第２電極部５６と、第１有機ＥＬパネル１０ｂを挟んで隣接する第２有機ＥＬパネル１１ｂの第１電極部５５が第２導電部材２１によって接続されている。
すなわち、第１有機ＥＬパネル１０ａと第１有機ＥＬパネル１０ｂ間には、第２有機ＥＬパネル１１ａとは電気的に絶縁された導電経路が形成されており、互いに電気的に直列に接続されている。同様に第２有機ＥＬパネル１１ａと第２有機ＥＬパネル１１ｂ間には、第１有機ＥＬパネル１０ｂとは電気的に絶縁された導電経路が形成されており、互いに電気的に直列に接続されている。
【００６８】
第２行に配列する、第３有機ＥＬパネル１２ａ、第４有機ＥＬパネル１３ａ、第３有機ＥＬパネル１２ｂ、第４有機ＥＬパネル１３ｂの４枚の有機ＥＬパネル２の接続関係に注目すると、第３有機ＥＬパネル１２ａの第２電極部５６と、第４有機ＥＬパネル１３ａを挟んで隣接する第３有機ＥＬパネル１２ｂの第１電極部５５が第３導電部材２２によって接続されており、第４有機ＥＬパネル１３ａの第２電極部５６と、第３有機ＥＬパネル１２ｂを挟んで隣接する第４有機ＥＬパネル１３ｂの第１電極部５５が第４導電部材２３によって接続されている。
すなわち、第３有機ＥＬパネル１２ａと第３有機ＥＬパネル１２ｂ間には、第４有機ＥＬパネル１３ａとは電気的に絶縁された導電経路が形成されており、互いに電気的に直列に接続されている。同様に第４有機ＥＬパネル１３ａと第４有機ＥＬパネル１３ｂ間には、第３有機ＥＬパネル１２ｂとは電気的に絶縁された導電経路が形成されており、互いに電気的に直列に接続されている。
【００６９】
第３行の接続関係については、第１行の第１有機ＥＬパネル１０と第２有機ＥＬパネル１１の位置関係がそれぞれ逆転したこと以外は同様であり、第４行の接続関係については、第２行の第３有機ＥＬパネル１２と第４有機ＥＬパネル１３の位置関係がそれぞれ逆転したこと以外は同様であるため、説明を省略する。
【００７０】
このように、有機ＥＬ発光システム１は、列方向Ｒに配列した同一種類の有機ＥＬパネル２間で、電気的に直列接続された複数の直列接続群７０，７１，７２，７３を形成している。
【００７１】
有機ＥＬ発光システム１に外部電源を接続した場合の各有機ＥＬパネル２間の電気的な接続関係に注目すると、上記したように第１有機ＥＬパネル１０ａと第１有機ＥＬパネル１０ｂは電気的に直列に接続されて直列接続群７０（７０ａ）を形成しており、第１有機ＥＬパネル１０ｃと第１有機ＥＬパネル１０ｄは電気的に直列に接続されて直列接続群７０（７０ｂ）を形成している。そして、図８（ａ），図８（ｂ）のように直列接続群７０ａと直列接続群７０ｂは、電気的に並列の関係となっている。
なお、図８（ａ）は、有機ＥＬ発光システム１の実際の位置関係を考慮した電気回路図であり、図８（ｂ）は、図８（ａ）を簡略化した電気回路図である。
【００７２】
第２有機ＥＬパネル１１ａと第２有機ＥＬパネル１１ｂは電気的に直列に接続されて直列接続群７１（７１ａ）を形成しており、第２有機ＥＬパネル１１ｃと第２有機ＥＬパネル１１ｄは電気的に直列に接続されて直列接続群７１（７１ｂ）を形成している。そして、図８（ａ），図８（ｂ）のように直列接続群７１ａと直列接続群７１ｂは、電気的に並列の関係となっている。
【００７３】
第３有機ＥＬパネル１２ａと第３有機ＥＬパネル１２ｂは電気的に直列に接続されて直列接続群７２（７２ａ）を形成しており、第３有機ＥＬパネル１２ｃと第３有機ＥＬパネル１２ｄは電気的に直列に接続されて直列接続群７２（７２ｂ）を形成している。そして、図８（ａ），図８（ｂ）のように直列接続群７２ａと直列接続群７２ｂは、電気的に並列の関係となっている。
【００７４】
第４有機ＥＬパネル１３ａと第４有機ＥＬパネル１３ｂは電気的に直列に接続されて直列接続群７３（７３ａ）を形成しており、第４有機ＥＬパネル１３ｃと第４有機ＥＬパネル１３ｄは電気的に直列に接続されて直列接続群７３（７３ｂ）を形成している。そして、図８（ａ），図８（ｂ）のように直列接続群７３ａと直列接続群７３ｂは、電気的に並列の関係となっている。
【００７５】
直列接続群７０ａ及び直列接続群７０ｂは、直列接続群７１ａ及び直列接続群７１ｂ、直列接続群７２ａ及び直列接続群７２ｂ、並びに直列接続群７３ａ及び直列接続群７３ｂと電気的に並列の関係となっている。
【００７６】
直列接続群７０ａ及び直列接続群７０ｂは、それぞれ外部電源と閉回路を形成している。同様に、直列接続群７１ａ及び直列接続群７１ｂ、直列接続群７２ａ及び直列接続群７２ｂ、並びに直列接続群７３ａ及び直列接続群７３ｂは、それぞれ外部電源と閉回路を形成している。
【００７７】
以上のように、有機ＥＬ発光システム１は、それぞれの直列接続群７０，７１，７２，７３が外部電源と閉回路を形成しており、可変抵抗やマイコンを使用したＰＷＭ制御等によってそれぞれの有機ＥＬパネルへの電流量等を制御することによって調光することが可能となっている。
【００７８】
なお、可変抵抗を使用してそれぞれの有機ＥＬパネルへの電流量等を制御する場合には、正確に制御する観点から各直列接続群７０ａ，７０ｂ，７１ａ，７１ｂ，７２ａ，７２ｂ，７３ａ，７３ｂに対して可変抵抗を取り付けることが好ましい。
【００７９】
また、本実施形態の有機ＥＬ発光システム１によれば、直列接続群７０，７１，７２，７３は互いに電気的に並列に接続されているため、例えば、各第１有機ＥＬパネル１０が劣化して発光不能状態になったとしても、給電部材６で接続したまま、短絡した有機ＥＬ装置５のみを新しい有機ＥＬ装置５に交換することによって、第１有機ＥＬパネル１０を発光可能状態に復帰することが可能である。すなわち、第１有機ＥＬパネル１０ａ，１０ｂ，１０ｃ，１０ｄと、第２有機ＥＬパネル１１ａ，１１ｂ，１１ｃ，１１ｄと、第３有機ＥＬパネル１２ａ，１２ｂ，１２ｃ，１２ｄと、第４有機ＥＬパネル１３ａ，１３ｂ，１３ｃ，１３ｄに内蔵されるそれぞれの有機ＥＬ装置５の寿命を最大限に利用することが可能である。
【００８０】
また、本実施形態の有機ＥＬ発光システム１によれば、直列接続群７０，７１，７２，７３を構成する有機ＥＬパネルに流れる電流は制御可能であり、さらに直列接続群７０，７１，７２，７３を構成する有機ＥＬパネルはまんべんなく全体に分布しているため、色むらがなく、均一に発光させることが可能となっている。
【００８１】
本実施形態の有機ＥＬ発光システム１によれば、給電部材６は、箔状の第１桟部７と第２桟部８が組み合わされて形成されているため、有機ＥＬパネルの薄いという特長を殆ど損なわない。
【００８２】
続いて、有機ＥＬ装置５の層構成について説明する。
【００８３】
基板４２の材質は、透明性と絶縁性を備えたものであれば、特に限定されるものではない。本実施形態では、ガラス基板を採用している。
また、基板４２は、面状に広がりをもっている。具体的には、多角形又は円形をしており、四角形であることが好ましい。本実施形態では、正方形状のガラス基板を採用している。
【００８４】
第１電極層４３は、透明導電性酸化物によって形成された層であり、例えば、インジウム錫酸化物（ＩＴＯ）などが採用できる。
【００８５】
機能層４５は、図７のように第１電極層４３と第２電極層４６との間に設けられ、少なくとも一層の有機発光層を備えた層である。
具体的には、機能層４５の構成は、図７のように、第１電極層４３側から順に、正孔注入層６１，正孔輸送層６２，有機発光層６３，電子輸送層６４，及び電子注入層６５を有している。正孔注入層６１，正孔輸送層６２，有機発光層６３，電子輸送層６４，及び電子注入層６５はいずれも公知の有機材料等によって形成されている。
【００８６】
上記したように、本実施形態では、有機発光層６３の種類によって、有機ＥＬ装置５の発光色を制御し、それぞれの有機ＥＬパネル１０，１１，１２，１３間で、発光色が異なるものにしている。
【００８７】
具体的には、第１有機ＥＬパネル１０は、有機発光層６３の種類によって、５５０ｎｍ未満の波長にのみ発光ピークを有する青色系発光色を有した有機ＥＬパネルとなるように設計しており、第２有機ＥＬパネル１１は、有機発光層６３の種類によって、５５０ｎｍ以上の波長にのみ発光ピークを有する赤色系発光色を有した有機ＥＬパネルとなるように設計している。
なお、本実施形態では、４色の有機ＥＬパネルを使用しているため、第１有機ＥＬパネル１０は、有機発光層６３の種類によって、４００ｎｍ以上５００ｎｍ未満の波長にのみ発光ピークを有する青色系発光色を有した有機ＥＬパネルとなるように設計しており、第２有機ＥＬパネル１１は、有機発光層６３の種類によって、６２０ｎｍ以上７００ｎｍ以下の波長にのみ発光ピークを有する赤色系発光色を有した有機ＥＬパネルとなるように設計している。
【００８８】
また、第３有機ＥＬパネル１２は、有機発光層６３の種類によって、４９５ｎｍ以上５７０ｎｍ未満の波長にのみ発光ピークを有する緑色系発光色を有した有機ＥＬパネルとなるように設計しており、第４有機ＥＬパネル１３は、有機発光層６３の種類によって、５７０ｎｍ以上６２０ｎｍ未満の波長にのみ発光ピークを有する橙色系発光色を有した有機ＥＬパネルとなるように設計している。
有機ＥＬ装置５の発光面積は、４ｍｍ2から４ｍ2であり、５０ｃｍ2から２ｍ2であることが好ましく、１００ｃｍ2から２５００ｃｍ2であることが特に好ましい。
【００８９】
第２電極層４６は、第１電極層４３と一対となって電極を形成するものであれば、特に限定されるものではなく、例えば銀（Ａｇ）やアルミニウム（Ａｌ）などが採用できる。
【００９０】
上記した実施形態において、４行４列の有機ＥＬパネル１０が配列された有機ＥＬ発光システム１について説明したが、実際に有機ＥＬ発光システム１を照明として使用する場合には、使用環境に合わせて、有機ＥＬ発光システム１を拡張して使用することとなる。そこで、代表例として、図９のように４つの有機ＥＬ発光システム１で拡張した場合について、各有機ＥＬパネル１０の位置関係を説明する。
有機ＥＬ発光システム１が平面上に分布するように拡張した照明は、図９のように同一色の有機ＥＬパネル１０，１０の間に、異なる種類の有機ＥＬパネル１１，１２，１３のそれぞれが挟まれる関係となっている。具体的には、同一色の有機ＥＬパネル１０，１０の間に、残りの色の有機ＥＬパネル１１，１２，１３が一枚ずつ挟まれている。
また、行方向に隣接する同一種類の有機ＥＬパネルの間隔は、隣の列の、行方向に隣接する同一種類の有機ＥＬパネルの間隔と等間隔となっている。例えば、行方向に隣接する第１有機ＥＬパネル１０ａ，１０ａ間の距離は、隣の列の第１有機ＥＬパネル１０ｂ，１０ｂ間の距離と等しくなっている。
【００９１】
上記した実施形態では、４種類の有機ＥＬパネル２を用いた場合について説明したが、複数種類の有機ＥＬパネル２であれば特に限定されない。
例えば、２種類の場合について説明すると、図１０のように、発光色が異なる第１有機ＥＬパネル１０と第２有機ＥＬパネル１１が行方向及び列方向に交互に配列される。すなわち、発光色が異なる第１有機ＥＬパネル１０と第２有機ＥＬパネル１１が千鳥状に配されている。
また、第１有機ＥＬパネル１０ａ，１０ｂからなる直列接続群７０ａは、第１有機ＥＬパネル１０ｃ，１０ｄからなる直列接続群７０ｂ、第１有機ＥＬパネル１０ｅ，１０ｆからなる直列接続群７０ｃ、並びに、第１有機ＥＬパネル１０ｇ，１０ｈからなる直列接続群７０ｄと電気的に並列の関係となっている。第２有機ＥＬパネル１１ａ，１１ｂからなる直列接続群７１ａは、第２有機ＥＬパネル１１ｃ，１１ｄからなる直列接続群７１ｂ、第２有機ＥＬパネル１１ｅ，１１ｆからなる直列接続群７１ｃ、並びに、第２有機ＥＬパネル１１ｇ，１１ｈからなる直列接続群７１ｄと電気的に並列の関係となっている。
【００９２】
上記した実施形態では、行方向に並んだ同色の有機ＥＬパネル２（例えば、第１有機ＥＬパネル１０ａ，１０ｂ）が電気的に直列接続の関係となっており、当該行方向に並んだ同色の有機ＥＬパネル２が、列方向の、行方向に並んだ同色の有機ＥＬパネル（例えば、第１有機ＥＬパネル１０ｃ，１０ｄ）と電気的に並列の関係となっていたが、本発明はこれに限定されるものではなく、図１１のようにすべての同色の有機ＥＬパネルが電気的に直列に接続されていてもよい。
【００９３】
上記した実施形態では、給電部材６が箔状の第１桟部７と第２桟部８が組み合わされて形成されていたが、本発明はこれに限定されるものではなく、板状の第１桟部７と第２桟部８でもよい。この場合、有機ＥＬパネルの剛性を補強することが可能である。
【００９４】
上記した実施形態では、有機ＥＬ装置は、片面が発光するものであったが、本発明はこれに限定されるものではなく、片面発光の有機ＥＬ装置を重ね合わせる等の方法によって、有機ＥＬ装置両面が発光するものであってもよい。
【００９５】
上記した実施形態では、有機ＥＬパネル２を給電部材６上に載置したものであったが、本発明はこれに限定されるものではなく、図１２のように給電部材６の開口３７に有機ＥＬパネル２をはめこんで給電してもよい。この場合、給電部２５の位置を開口の内部に設けることが好ましい。また、他の導電部材で給電部材６の給電部２５と有機ＥＬパネル２の電極部５５，５６を接続してもよい。
【符号の説明】
【００９６】
１  有機ＥＬ発光システム
２  有機ＥＬパネル
６  給電部材
７  第１桟部
８  第２桟部
１０，１０ａ〜１０ｈ  第１有機ＥＬパネル
１１，１１ａ〜１１ｈ  第２有機ＥＬパネル
１２，１２ａ〜１２ｈ  第３有機ＥＬパネル
１３，１３ａ〜１３ｈ  第４有機ＥＬパネル
２０  第１導電部材（橋渡し導電部）
２１  第２導電部材（橋渡し導電部）
２２  第３導電部材（橋渡し導電部）
２３  第４導電部材（橋渡し導電部）
４１  有機ＥＬ素子
４２  基板（基材）
４３  第１電極層
４５  機能層
４６  第２電極層
５０  発光領域
５１  額縁領域
５５  第１給電部
５６  第２給電部
６３  発光層（有機発光層）
７０，７１，７２，７３  直列接続群
７５  第１給電配線（給電配線）
７６  第１迂回配線（迂回配線）
７７  第２給電配線（給電配線）
７８  第２迂回配線（迂回配線）
７９  第３給電配線（給電配線）
８０  第３迂回配線（迂回配線）
８１  第４給電配線（給電配線）
８２  第４迂回配線（迂回配線）
【図１】
2014103268.tif 000003
【図２】
2014103268.tif 000004
【図３】
2014103268.tif 000005
【図４】
2014103268.tif 000006
【図５】
2014103268.tif 000007
【図６】
2014103268.tif 000008
【図７】
2014103268.tif 000009
【図８】
2014103268.tif 000010
【図９】
2014103268.tif 000011
【図１０】
2014103268.tif 000012
【図１１】
2014103268.tif 000013
【図１２】
2014103268.tif 000014